(57)【特許請求の範囲】
【請求項１】
上流に原水を断続供給する原水ピットを設けると共に、下流に凝集剤を添加して原水からフロックを沈降分離させるシックナーを設けた一連の配管経路中にシックナーに比し小型で内部に撹拌装置を設けた沈殿槽を設け、該沈殿槽は、その上流側の側壁下部に原水ピットの下流側の側壁下部に水平配管を介して上流側の側壁上方部位を接続すると共に、複数の阻流板を上下で食い違いに内部配置した垂直配管の下流側の側壁下部を配管接続し、沈殿槽の下流側の側壁上方にシックナーの上流側の側壁上方を配管接続し、沈殿槽の底部は傾斜配管を介してシックナーの上流側の側壁下部に連結して成り、沈殿槽内の原水の濁度を計測し、その濁度に基づき前記垂直配管上端に設けた投入口から投入される凝集剤の添加量を調整することを特徴とする原水への凝集剤添加量調整方法。
【請求項２】
上流に原水を断続供給する原水ピットを設けると共に、下流に凝集剤を添加して原水からフロックを沈降分離させるシックナーを設けた一連の配管経路中にシックナーに比し小型で内部に撹拌装置を設けた沈殿槽を設け、該沈殿槽は、その上流側の側壁下部に原水ピットの下流側の側壁下部に水平配管を介して上流側の側壁上方部位を接続すると共に、複数の阻流板を上下で食い違いに内部配置した垂直配管の下流側の側壁下部を配管接続し、沈殿槽の下流側の側壁上方にシックナーの上流側の側壁上方を配管接続し、沈殿槽の底部は傾斜配管を介してシックナーの上流側の側壁下部に連結し、沈殿槽内に濁度計を設け、該濁度計で計測された濁度に基づき添加量が調整される凝集剤の投入口を前記垂直配管上端に設けたことを特徴とする原水処理装置。
【発明の詳細な説明】
【技術分野】
【０００１】
本発明は、凝集剤を添加して原水中の懸濁物質とともにフロックとして凝集させて上澄水と分離するシックナーにおいて沈殿物を迅速に沈降させるために原水に添加する凝集剤の添加量を適正に加減調整する原水への凝集剤添加量調整方法及び原水処理装置に関する。
【背景技術】
【０００２】
シックナー内の沈殿濃度の測定は、原水中の懸濁物質の迅速な凝集沈殿を図るため、且つ高価な凝集剤の適正投入量を決定するために必要なものである。
優れた沈殿濃度の測定は超音波によるもの（例えば、特許文献１参照）が正確であるが、高価な設備費を要するため、従来はシックナーから排出された凝集物の硬化状態、或いはシックナーへ供給する原水を掬い取って目測し、凝集剤の添加量を決定していたのである。
【先行技術文献】
【特許文献】
【０００３】
【特許文献１】特開２０１３−１５４２６２号公報
【発明の概要】
【発明が解決しようとする課題】
【０００４】
しかしながら、目測による不正確性、或いは機械測定の場合でも隔時間測定のため即対応できない問題点があった。
このため迅速な凝集沈殿が図れず、或いは凝集剤の過大投入となって経費が増加するのである。
そこで、本発明では、シックナーに投入する原水の現在濃度を簡単な手法にて適正に測定することで凝集剤の添加量を適正に調整できる様にした原水への凝集剤添加量調整方法及び原水処理装置を提供するものである。
【課題を解決するための手段】
【０００５】
上記課題に鑑み、本発明に係る原水への凝集剤添加量調整方法及びこの方法を用いた原水処理装置は、上流に原水を断続供給する原水ピットを設けると共に、下流に凝集剤を添加して原水からフロックを沈降分離させるシックナーを設けた一連の配管経路中にシックナーに比し小型で内部に撹拌装置を設けた沈殿槽を設け、該沈殿槽は、その上流側の側壁下部に原水ピットの下流側の側壁下部に水平配管を介して上流側の側壁上方部位を接続すると共に、複数の阻流板を上下で食い違いに内部配置した垂直配管の下流側の側壁下部を配管接続し、沈殿槽の下流側の側壁上方にシックナーの上流側の側壁上方を配管接続し、沈殿槽の底部は傾斜配管を介してシックナーの上流側の側壁下部に連結して成り、沈殿槽内の原水の濁度を計測し、その濁度に基づき前記垂直配管上端に設けた投入口から投入される凝集剤の添加量を調整することを特徴とする。
【発明の効果】
【０００６】
要するに本発明は、上流に原水を断続供給する原水ピットを設けると共に、下流に凝集剤を添加して原水からフロックを沈降分離させるシックナーを設けた一連の配管経路中にシックナーに比し小型の沈殿槽を設け、該沈殿槽は、その下流側の側壁上方にシックナーの上流側の側壁上方を配管接続したので、該沈殿槽をシックナーのスケールモデルとすることができるため、沈殿槽内をシックナー内と同一環境化と見なすことができ、これにより沈殿槽内に投入した濁度計により短時間でその濁度を計測でき、かかる濁度に基づき原水への適正な凝集剤の添加量を加減調整できる等その実用的効果甚だ大である。
【図面の簡単な説明】
【０００７】
【図１】原水処理装置の概略断面図である。
【図２】図１の平面図である。
【発明を実施するための形態】
【０００８】
以下本発明の実施の一形態例を図面に基づいて説明する。
図に示す原水処理装置は、上流に原水Ｗを断続的に供給する原水ピット１を設けると共に、下流に硫酸バンドやポリ塩化アルミニウム（ＰＡＣ）等の無機凝集剤（以下、単に凝集剤と称する。）を添加して原水Ｗからフロックを沈降分離させるシックナー２を設けた一連の配管経路中にシックナー２に比し小型の沈殿槽３を設けている。
【０００９】
シックナー２は、図中では、その一部のみ表示しているに過ぎないが、従来周知のシックナーと同様に、大容量の円筒型のタンク2aを設け、該タンク2a内には、その内部に供給された凝集剤添加の原水Ｗの撹拌を目的とした撹拌手段（図示せず）を設けている。
【００１０】
原水ピット１は、原水投入口1aを上方開口した有底箱型に形成されると共に、櫓４を介した所定高さ位置（図示例ではシックナー２より上方）に設置して成り、原水ピット１の前壁（下流側の側壁）下部に原水Ｗを送出する様に下流側へ延設した水平配管５を接続している。
【００１１】
水平配管５は、その先端が円筒状に形成された垂直配管６の後壁（上流側の側壁）上方部位に直交接続されている。
垂直配管６は、凝集剤の投入口6aとして上端が開口されており、水平配管５との連通部位より下方内部には、複数の半円状の阻流板７を上下に所定間隔を置いて前後食い違いに水平配置しており、各阻流板７の中心部位は、垂直配管６の軸線上に配置された支持棒８に固着され、その上下位置における水平状態が保持されている。
【００１２】
垂直配管６は、その前壁（下流側の側壁）下部が連通管９を介して沈殿槽３の後壁（上流側の側壁）下部に接続されている。
連通管９の前後には、原水Ｗの流量調整用のバタフライ弁10の弁箱10ａが介装され、該弁箱10ａの上部に長尺な筒部10ｂを突設し、該筒部10ｂには、これより長い弁棒10ｃを水密状にして回転自在に挿通し、該弁棒10ｃの回転でバタフライ弁10の開度を調整する様に成している。
【００１３】
沈殿槽３は、有底筒状に形成されると共に、櫓４より低い台座フレーム11上に設置して成り、沈殿槽３の前壁（下流側の側壁）上方にタンク2aの後壁（上流側の側壁）上方を原水供給管12を介して配管接続して沈殿槽３とタンク2aを連通している。
沈殿槽３内には、撹拌装置13を設けており、該撹拌装置13は、沈殿槽３内底に配置された撹拌翼13ａと、該撹拌翼13ａの回転軸13ｂを連結した駆動源13ｃとから成り、該駆動源13ｃは、沈殿槽３の上方開口部3aの直径方向に架設されたベースフレーム14上の中央に設置されている。
【００１４】
尚、沈殿槽３の底部は、タンク2a内の後壁下部に傾斜配管15を介して連結し、該傾斜配管15は沈殿槽３底部に沈降したフロックをタンク2a内底部へ排出する様に成している。
又、垂直配管６の底部と傾斜配管15の基端とを細管16で接続し、垂直配管６底部に沈降した微砂を細管16及び傾斜配管15を介してタンク2a内底部へ排出する様に成している。
【００１５】
そして、沈殿槽３内には周知の濁度計17を備え、該濁度計17により沈殿槽３内の濁度を計測する。
【００１６】
上記構成の原水処理装置にあっては、原水ピット１から供給される原水Ｗは、水平配管５を経て垂直配管６へと移送される。
垂直配管６では、上下で食い違い配置された阻流板７によって原水Ｗを数回蛇行させ、垂直配管６上方の投入口6aから投入される凝集剤を混合させる。
【００１７】
そして、垂直配管６を経て沈殿槽３及びシックナー２内に凝集剤が混合された原水Ｗが貯留される。
シックナー２では図示しない撹拌手段により、沈殿槽３では撹拌装置13により、原水Ｗを撹拌し、フロックを形成する。
【００１８】
沈殿槽３とシックナー２とは原水供給管12を介して連通しており、原水Ｗの供給のない静止状態では、沈殿槽３とシックナー２の水位は同じであり、沈殿槽３をシックナー２のスケールモデルとして、沈殿槽３内をシックナー２内と同一環境化と見なすことができ、これにより沈殿槽３内に投入した濁度計17により短時間でその濁度を計測でき、かかる濁度に基づき原水Ｗへの凝集剤添加の有無の判断や凝集剤添加量の増減を設定し、適正量の凝集剤を垂直配管６の投入口6aから添加し、沈殿槽３とシックナー２内の原水Ｗから生成されるフロックの沈殿分離を効率よく、その沈降分離状態を常に良好と成すことができる。
【符号の説明】
【００１９】
１  原水ピット
２  シックナー
３  沈殿槽
17  濁度計
Ｗ  原水
【図１】
0006358985.tif 000002
【図２】
0006358985.tif 000003